(57)【要約】      （修正有）【課題】使い勝手のよいプロジェクター付きホワイトボードを提供する。【解決手段】前後方向に延びるキャスター付きの左右の脚の上に立設される固定架体４と、該固定架体に上下スライド可能に設けられる可動架体５と、該可動架体に取り付けられるホワイトボード２と、前記可動架体の頂部に取り付けられ、前方に突出した状態から、前記ホワイトボードと並行な状態に回動可能なプロジェクター１と、前記固定架体より後方の脚の位置に、左右の脚に掛け渡すように取り付けられる重り部材８とが備えられる。【選択図】図２
0003170483.tif 000002
【実用新案登録請求の範囲】
【請求項１】
前後方向に延びるキャスター付きの左右の脚の上に立設される固定架体と、
前記固定架体に上下スライド可能に設けられる可動架体と、
前記可動架体に取り付けられるホワイトボードと、
前記可動架体の頂部に取り付けられ、前方に突出した状態から、前記ホワイトボードと並行な状態に回動可能なプロジェクターと、
前記固定架体より後方の脚の位置に、左右の脚に掛け渡たすように取り付けられる重り部材と、が備えられることを特徴とするプロジェクター付きホワイトボード。
【請求項２】
前記プロジェクターには、回動軸に円周方向に湾曲したガイド孔を有するガイド板が取り付けられ、前記可動架体には、前記ガイド孔に嵌め込まれて前記ガイド板の回動を所定の位置に停止させる停止ピンが設けられることを特徴とする請求項１に記載のプロジェクター付きホワイトボード。
【請求項３】
前記固定架体と前記可動架体には、それぞれ上下方向に延びる溝が設けられると共に、前記固定架体の溝と前記可動架体の溝に、フランジ部が嵌め込まれるＨ型のレールが備えられ、前記可動架体が前記レールに沿って上下にスライドすることを特徴とする請求項１に記載のプロジェクター付きホワイトボード。
【請求項４】
手動のハンドルで回転するウォームと、該ウォームで回転するウォームホイールを有するギアボックスと、
前記固定架体の上部に設けられる長尺なローラーと、
一端が前記ローラーに巻き付けられ、他端が前記可動架体に取り付けられて、前記可動架体を昇降させる左右２本の昇降ベルトと、
一端が前記ローラーの中央に巻き付けられ、他端が前記ギアボックスのウォームホイールの回転軸に巻き付けられる駆動ベルトと、がさらに備えられることを特徴とする請求項１に記載のプロジェクター付きホワイトボード。
【考案の詳細な説明】
【技術分野】
【０００１】
本考案は、プロジェクター付きホワイトボードに係り、より詳細には、転倒防止を図った使い勝手のよいプロジェクター付きホワイトボードに関する。
【背景技術】
【０００２】
特許文献１に示すように、移動式のホワイトボードあるいは電子黒板にプロジェクターを搭載したものがある。プロジェクターは、ホワイトボードに投影可能とするため、その上部から前方に突き出すように設けられる。プロジェクターの重さは約４〜８ｋｇなので、ホワイトボードを搭載する架体が前方に倒れやすいものとなる。
【０００３】
架体の転倒を防止するため、ホワイトボードの脚には、例えば特許文献２に示すような、跳ね上げ式の補助スタンドが設けられる。しかしながら、ホワイトボードの脚は、架体の下部にあって、ホワイトボードに直交するように設けられ、前方に付き出ているので、この脚を補助スタンドでさらに前方に延長することは、ホワイトボードの前面に立つ説明者がつまずきかねない。
【０００４】
加えて、プロジェクター付きホワイトボードには、次のような使い勝手の向上も求められている。一般に、プロジェクターはホワイトボードの上部で回動可能とされるが、人手よる回動に依存している。そのため、プロジェクターをホワイトボードと正確に直交する位置に停止させないと、投影した映像にゆがみが生じ、再度、取り付け角度を調節することになる。
【０００５】
ホワイトボードとプロジェクターを上下にスライドさせるため、一般に、ホワイトボードとプロジェクターを支持する可動架体の柱は、固定架体の中空の柱の中にスライド可能に嵌め込まれる。この場合、柱と柱の嵌め込みシロを小さくすると、両者の摩擦が大きくなって昇降がスムーズにゆかない。嵌め込みシロを大きくすると、左右両側が均等に昇降せず、斜め状態で固まってしまうことがある。
【０００６】
ホワイトボードとプロジェクターを上下にスライドさせるため、一般に、可動架体の下部に取り付けられたベルトを巻き取るホイールが設けられるが、上昇させたホワイトボードとプロジェクターは、自重により該ホイールを急激に回転させるので、これとバランスするようにバネが設けられる。バネが設けられた昇降機構は、ホワイトボードとプロジェクターの上下のスライド幅をあまり大きく取ることができない。そのため、大きな会場などでは、ホワイトボードの位置が低くて見えにくい場合がある。
【先行技術文献】
【特許文献】
【０００７】
【特許文献１】特開２００９−１７２７８３号公報
【特許文献２】特開平１０−１８５０８５号公報
【考案の概要】
【考案が解決しようとする課題】
【０００８】
本考案の目的は、説明者をつまずかせる危険がなく、架体の転倒防止を図ることができるプロジェクター付きホワイトボードを提供することにある。使い勝手をさらに向上させて、プロジェクターをホワイトボードと直交する位置に正確に停止させること、可動架体を安定して上下にスライドさせること、ホワイトボードとプロジェクターが搭載された可動架体を大きく上下にスライドさせること、が可能なホワイトボードを提供することにある。
【課題を解決するための手段】
【０００９】
本考案によるプロジェクター付きホワイトボードは、前後方向に延びるキャスター付きの左右の脚の上に立設される固定架体と、前記固定架体に上下スライド可能に設けられる可動架体と、前記可動架体に取り付けられるホワイトボードと、前記可動架体の頂部に取り付けられ、前方に突出した状態から、前記ホワイトボードと並行な状態に回動可能なプロジェクターと、前記固定架体より後方の脚の位置に、左右の脚に掛け渡たすように取り付けられる重り部材と、が備えられることを特徴とする。
【００１０】
前記プロジェクターには、回動軸に円周方向に湾曲したガイド孔を有するガイド板が取り付けられ、前記可動架体には、前記ガイド孔に嵌め込まれて前記ガイド板の回動を所定の位置に停止させる停止ピンが設けられることを特徴とする。
【００１１】
前記固定架体と前記可動架体には、それぞれ上下方向に延びる溝が設けられると共に、前記固定架体の溝と前記可動架体の溝に、フランジ部が嵌め込まれるＨ型のレールが備えられ、前記可動架体が前記レールに沿って上下にスライドすることを特徴とする。
【００１２】
手動のハンドルで回転するウォームと、該ウォームで回転するウォームホイールを有するギアボックスと、前記固定架体の上部に設けられる長尺なローラーと、一端が前記ローラーに巻き付けられ、他端が前記可動架体に取り付けられて、前記可動架体を昇降させる左右２本の昇降ベルトと、一端が前記ローラーの中央に巻き付けられ、他端が前記ギアボックスのウォームホイールの回転軸に巻き付けられる駆動ベルトと、がさらに備えられることを特徴とする。
【考案の効果】
【００１３】
本考案によるプロジェクター付きホワイトボードによれば、重り部材を固定架体より後方の脚の位置に、左右の脚に掛け渡たすように取り付けたので、脚を補助スタンドなどによりホワイドボードの前方に延長する必要がなく、説明者が脚につまずく危険もない。また、固定架体を安定して立て、転倒を防止できる。脚の長さが長くならないので、ドアの入口を通過しやすくできる。
【００１４】
プロジェクターの回動軸に円周方向に湾曲したガイド孔を有するガイド板を設けると共に、可動架体にガイド孔に嵌め込まれてガイド板の回動を所定の位置に停止させる停止ピンを備えたので、プロジェクターを正確に回動して、ホワイトボード上部の正面の位置に停止させることができる。
【００１５】
固定架体と可動架体には、それぞれ上下方向に延びる溝を設け、この溝に嵌め込むＨ型のレールを設けたので、可動架体をスムーズに上下にスライドさせることができる。嵌め込み式としたので、組立も容易である。
【００１６】
手動のハンドルで回転するウォームと、該ウォームで回転するウォームホイールを有するギアボックスと、固定架体の上部に設けられる長尺なローラーと、一端がローラーに巻き付けられ、他端が可動架体の両側に取り付けられて、可動架体を昇降させる２本の昇降ベルトと、一端がローラーの中央に巻き付けられ、他端がギアボックスのウォームホイールの回転軸に巻き付けられる駆動ベルトと、を備えたので、偏りがなく安定したホワイトボードの昇降ができる。また、バネ式のものに比べて大きな高さの昇降ができる。ウォームとウォームホイールからなるウォームギアは非可逆であり、ウォームはウォームホイールを駆動できるが、ウォームホイールでウォームを駆動することはできない。そのため、可動架体を上昇させた場合、ホワイトボードとプロジェクターの自重により、ローラーが逆転しようとするが、ウォームホイールでウォームが駆動されないので、不用意にハンドルが回転することがない。
【図面の簡単な説明】
【００１７】
【図１】本考案によるプロジェクター付きホワイトボードの正面側斜視図である。
【図２】本考案によるプロジェクター付きホワイトボードの裏面側斜視図である。
【図３】本考案によるプロジェクター付きホワイトボードの正面側斜視図であり、ホワイトボードを透かして内部が見えるように表示し、（Ａ）はプロジェクターとホワイトボードが搭載される可動架体が最下点に下降した場合、（Ｂ）は可動架体が最上点まで上昇した場合である。
【図４】可動架体を昇降される機構の説明図である。
【図５】本考案によるプロジェクター付きホワイトボードの右側面図であり、（Ａ）は可動架体が最下点に下降した場合、（Ｂ）は可動架体が最上点まで上昇した場合である。
【図６】本考案によるプロジェクター付きホワイトボードの正面側斜視図で、プロジェクターがホワイトボードと並行に折り畳まれた場合を示す。
【図７】本考案によるプロジェクター付きホワイトボードの右側面図で、プロジェクターがホワイトボードと並行に折り畳まれた場合を示す。
【考案を実施するための形態】
【００１８】
以下、図面を参照して、本考案のプロジェクター付きホワイトボードについて説明する。
【実施例】
【００１９】
図１は、本考案によるプロジェクター付きホワイトボード１００の正面側斜視図である。プロジェクター付きホワイトボード１００は、プロジェクター１、ホワイトボード２があり、移動可能に脚７にキャスター６が設けられている。脚７は前後方向に延び、左右の２本の脚７の上には固定架体４が立設される。固定架体４には、上下にスライド可能に可動架体５が取り付けられる。可動架体５にはホワイトボード２とプロジェクター１が搭載される。ホワイトボード２をスクリーンボードあるいは電子黒板などとしてもよい。
【００２０】
図２は、本考案によるプロジェクター付きホワイトボード１００の裏面側斜視図である。脚７の後方側には、２本の脚７に掛け渡たされた重り部材８を備える。重り部材８は、鉄などを使用し５〜１５ｋｇの重さとすることができる。引出し円の中は、破線で示す円の内部の説明図である。引出し円の中に示すように、固定架体４と可動架体５には、それぞれ溝２０が設けられ、この溝２０にＨ型のレール３のフランジ部１９が嵌め込まれている。可動架体５は、ギアボックス１２のハンドル１３を回すことで上下にスライドされ、これにより可動架体５に搭載されたホワイトボード２とプロジェクター１が昇降する。
【００２１】
図３は、本考案によるプロジェクター付きホワイトボード１００の正面側斜視図であり、ホワイトボードは透かして内部が見えるように表示している。（Ａ）はプロジェクター１とホワイトボード２が搭載される可動架体５が最下点に下降した場合を示す。（Ｂ）は可動架体５が最上点まで上昇した場合を示す。これに限られるものではないが、レール３とレール３の幅は、約６７５ｍｍである。プロジェクター１を支える２本の柱の間隔は約２２５ｍｍである。プロジェクター１はホワイトボード２の前方に約４５０ｍｍ突き出ている。脚７の長さは、約８４５ｍｍである。（Ａ）の状態では、ホワイトボード２の上端は床から約１４００ｍｍの高さにある。（Ｂ）の状態では、ホワイトボード２の上端は床から約２４００ｍｍの高さにある。すなわち、ホワイトボード２は約１ｍの昇降が可能である。ホワイトボード２は、縦が約１１９０ｍｍ、横が約１８００ｍｍである。
【００２２】
図４は、可動架体５を昇降される機構の説明図である。ギアボックス１２の内部は引出し円の中に示すように、手動のハンドルで回転するウォーム１４と、ウォーム１４で回転するウォームホイール１５からなる。固定架体４の上部には、長尺なローラー９が設けられる。ローラー９の両側には、一端がローラー９に巻き付けられ、他端が可動架体５に取り付けられて、可動架体５を昇降させる２本の昇降ベルト１０が設けられる。ローラー９の中央には、一端がローラー９に巻き付けられ、他端がギアボックス１２のウォームホイール１５の回転軸に巻き付けられる駆動ベルト１１が設けられる。昇降ベルト１０及び駆動ベルト１１は、図２の灰色のベルトに対応している。
【００２３】
図４に示すように、ハンドル１３を一方に回転すると、駆動ベルト１１がウォームホイール１５の回転軸に巻き取られ、ローラー９が回転する。ローラー９が回転すると、昇降ベルト１０がローラー９に巻き取られ、可動架体５が上昇する。ハンドル１３を他方に回転すると、駆動ベルト１１がウォームホイール１５の回転軸から送り出されることになる。この時、ローラー９は、ホワイトボード２とプロジェクター１の自重で、昇降ベルト１０が下方に引っ張られているので、駆動ベルト１１がゆるむと回転し、駆動ベルト１１をローラー９に巻き戻す。このようにして、可動架体５が下降する。ウォーム１４をハンドル１３でどちらの方向に回転しても、ウォームホイール１５は駆動され回転するが、逆にウォームホイール１５でウォーム１４を回転させることはできない。つまり非可逆のため、可動架体５を上昇させた場合、ホワイトボード２とプロジェクター１の自重により、ローラー９は逆転しようとするが、ウォームホイール１５はウォーム１４を駆動できないので、不用意にハンドル１３が回転することはない。
【００２４】
図５は、本考案によるプロジェクター付きホワイトボード１００の右側面図であり、（Ａ）は可動架体５が最下点に下降した場合、（Ｂ）は可動架体５が最上点まで上昇した場合である。（Ａ）の場合、床からの高さは約１８６０ｍｍである。（Ｂ）の場合、床からの高さは約２７７０ｍｍとなる。図５に示すように、重り部材８は、固定架体４より後方の脚７の位置に、プロジェクター１とバランスするように配置されている。また、脚７は、固定架体４の前方にわずかに突出するだけなので、説明者がつまずくこともない。
【００２５】
図６は、本考案によるプロジェクター付きホワイトボード１００の正面側斜視図で、プロジェクター１がホワイトボード２と並行に折り畳まれた場合を示す。プロジェクター１は、可動架体５の頂部に取り付けられ、前方に突出した状態からホワイトボード２と並行な状態に回動可能である。図６の右側に示すように、プロジェクター１の回動軸には、円周方向に湾曲したガイド孔１７を有するガイド板１６が取り付けられ、可動架体５には、ガイド孔１７に嵌め込まれてガイド板１６の回動を所定の位置に停止させる停止ピン１８が設けられる。これにより
プロジェクター１をホワイトボード２上部の正面の位置に正確に停止できる。
【００２６】
図７は、本考案によるプロジェクター付きホワイトボード１００の右側面図で、プロジェクター１がホワイトボード２と並行に折り畳まれた場合を示す。これにより、プロジェクター付きホワイトボード１００の奥行きを脚７の長さとすることができるので、ドア入口からの搬入が容易になる。
【産業上の利用可能性】
【００２７】
本考案は、プロジェクター付きホワイトボードに限らず、プロジェクター付き電子黒板やプロジェクター付きスクリーンボードにも適用できる。
【符号の説明】
【００２８】
１    プロジェクター
２    ホワイトボード
３    Ｈ型のレール
４    固定架体
５    可動架体
６    キャスター
７    脚
８    重り部材
９    ローラー
１０    昇降ベルト
１１    駆動ベルト
１２    ギアボックス
１３    ハンドル
１４    ウォーム
１５    ウォームホイール
１６    ガイド板
１７    ガイド孔
１８    停止ピン
１９    フランジ部
２０    溝
１００    プロジェクター付きホワイトボード
【図１】
0003170483.tif 000003
【図２】
0003170483.tif 000004
【図３】
0003170483.tif 000005
【図４】
0003170483.tif 000006
【図５】
0003170483.tif 000007
【図６】
0003170483.tif 000008
【図７】
0003170483.tif 000009